(57)【要約】【課題】放送に不慣れな管理員であっても、放送間違いを少なくすることができるインターホンシステムを提供することを目的とする。【解決手段】集合住宅の各住戸に設置されている住宅情報盤と、管理室に設置され、上記住宅情報盤に対して一斉放送を行う一斉放送手段を具備する管理室親機と、集合玄関に設置されている集合玄関機とによって構成されているインターホンシステムにおいて、音声を入力するマイクと、上記マイクに入力された音声を録音する音声メモリと、上記音声メモリに録音されている音声を、試聴する試聴手段と、上記音声メモリに録音されている音声を、一斉放送する一斉放送手段とを、上記管理室親機が有することを特徴とするインターホンシステムである。【選択図】図２
2010226561.tif 000002
【特許請求の範囲】
【請求項１】
集合住宅の各住戸に設置されている住宅情報盤と、管理室に設置され、上記住宅情報盤に対して一斉放送を行う一斉放送手段を具備する管理室親機と、集合玄関に設置されている集合玄関機とによって構成されているインターホンシステムにおいて、
音声を入力するマイクと；
上記マイクに入力された音声を録音する音声メモリと；
上記音声メモリに録音されている音声を、試聴する試聴手段と；
上記音声メモリに録音されている音声を、一斉放送する一斉放送手段と；
を、上記管理室親機が有することを特徴とするインターホンシステム。
【請求項２】
請求項１において、
上記音声メモリに録音され、放送された音声を、タイマの日時情報と共に記憶する放送内容履歴記憶手段を有することを特徴とするインターホンシステム。
【請求項３】
請求項１または請求項２において、
上記一斉放送手段は、一斉放送を行う放送実行ボタンを有し、上記音声メモリに録音されている音声を、音声信号線を介して各住戸の住宅情報盤へ出力する手段であることを特徴とするインターホンシステム。
【発明の詳細な説明】
【技術分野】
【０００１】
本発明は、インターホンシステムに関する。
【背景技術】
【０００２】
集合住宅において、各住戸に設置されている住宅情報盤と、管理室に設置されている管理室親機と、集合玄関に設置されている集合玄関機とによって、インターホンシステムが構成され、各機器間では、インターホン通話を行うことができる（たとえば、特許文献１参照）。
【０００３】
この集合住宅のインターホンシステムにおいて、インターホンによる通話だけでなく、管理室から、一斉放送によって、各住戸へ要件を伝えることができる。つまり、管理室親機は、放送手段を備え、エレベータの工事等、全住戸に知らせたい内容がある場合、放送ボタンを押すことによって、全住戸の住宅情報盤に対して、一斉放送を行うことができる。
【先行技術文献】
【特許文献】
【０００４】
【特許文献１】特開２００６−２２２８８７号公報
【発明の概要】
【発明が解決しようとする課題】
【０００５】
通常、管理室親機から一斉放送を行うには、一斉放送のボタンを押し、マイクに音声を入力する。このようにすることによって、各住戸の住宅情報盤のスピーカから一斉放送が流れる。
【０００６】
ところで、管理員が放送することに慣れていないと、放送内容を間違って発声することがある。放送に不慣れな管理員が、短期間で放送間違いを少なくすることは困難であるという問題がある。
【０００７】
また、放送内容を記録する記録手段を、住宅情報盤に設けたシステムがあり、住居人の留守時に行われた放送内容を、住居人が帰宅した後に聞くことができるシステムがある。しかし、放送を行った管理室親機において、既に行なった放送内容を後で確認することができないという問題がある。
【０００８】
本発明は、放送に不慣れな管理員であっても、放送間違いを少なくすることができるインターホンシステムを提供することを目的とする。
【０００９】
また、本発明は、放送を行った管理室親機において、既に行なった放送内容を確認することができるインターホンシステムを提供することを目的とする。
【課題を解決するための手段】
【００１０】
本発明は、集合住宅の各住戸に設置されている住宅情報盤と、管理室に設置され、上記住宅情報盤に対して一斉放送を行う一斉放送手段を具備する管理室親機と、集合玄関に設置されている集合玄関機とによって構成されているインターホンシステムにおいて、音声を入力するマイクと、上記マイクに入力された音声を録音する音声メモリと、上記音声メモリに録音されている音声を、試聴する試聴手段と、上記音声メモリに録音されている音声を、一斉放送する一斉放送手段とを、上記管理室親機が有することを特徴とするインターホンシステムである。
【発明の効果】
【００１１】
本発明によれば、放送に不慣れな管理員であっても、放送間違いを少なくすることができるという効果を奏する。
【図面の簡単な説明】
【００１２】
【図１】本発明の実施例１であるインターホンシステム１００を示すブロック図である。
【図２】管理室親機３０の具体例を示すブロック図である。
【発明を実施するための形態】
【００１３】
発明を実施するための形態は、以下の実施例である。
【実施例１】
【００１４】
図１は、本発明の実施例１であるインターホンシステム１００を示すブロック図である。
【００１５】
インターホンシステム１００は、住戸内に設けられている住宅情報盤ＪＢ１０１、…、ＪＢ３０３、…と、集合玄関に設けられている集合玄関機１０と、上記住宅情報盤と集合玄関機１０との間におけるインターホン通話を制御する制御装置２０と、管理室に設置され、上記住宅情報盤に対して一斉放送を行う一斉放送手段を具備する管理室親機３０とを有する。なお、管理室親機３０は、管理室に設けられている管理室親機３０であり、住宅情報盤ＪＢ１０１、…、３０３、…と基本的には同様な機能を有し、制御装置２０に接続されている。
【００１６】
これらの機器は、制御信号線Ｌｃと音声信号線Ｌａとを介して接続され、必要に応じて映像信号線にも接続される。
【００１７】
１０１号室の住戸用として、住宅情報盤ＪＢ１０１が設けられ、３０３号室の住戸用として、住宅情報盤ＪＢ３０３が設けられている。また、住宅情報盤ＪＢ１０１に、玄関子機Ｃ１０１が接続され、住宅情報盤ＪＢ３０３に、玄関子機Ｃ３０３が接続されている。
【００１８】
図２は、管理室親機３０の具体例を示すブロック図である。
【００１９】
管理室親機３０は、制御手段３１と、操作手段３２と、ハンドセット３３と、通話手段３４と、Ａ／Ｄ変換器３５と、音声メモリ３６と、出力手段３７と、タイマ３８と、放送内容履歴記憶手段３９と、送受信手段４０とを有する。
【００２０】
制御手段３１は、管理室親機３０の全体を制御し、また、音声メモリ３６に録音されている音声を、一斉放送する一斉放送手段の例である。この一斉放送手段は、一斉放送を行う放送実行ボタン３２を有し、音声メモリ３６に録音されている音声を、音声信号線Ｌａを介して各住戸の住宅情報盤へ出力する手段である。
【００２１】
操作手段３２は、テンキー、試聴ボタン、録音開始ボタン、放送実行ボタン等を有する。上記試聴ボタンは、音声メモリ３６に録音されている音声を試聴する試聴手段の例であり、試聴する場合に押すボタンである。上記録音開始ボタンは、一斉放送を開始する前に押すボタンであり、このボタンが押されると、マイクからの音声が音声メモリ３６に記憶される。そして、一斉放送を開始するときに、放送実行ボタンが押されると、音声メモリ３６に記憶されている一斉放送の内容が放送される。
【００２２】
ハンドセット３３は、音声を入力するマイクの例である。
【００２３】
通話手段３４は、ハンドセット３３が出力した音声信号を音声信号線Ｌａに出力し、音声信号線Ｌａを介して受信した音声信号をハンドセット３３に送る。
【００２４】
Ａ／Ｄ変換器３５は、通話手段３４からのアナログ信号をデジタル信号に変換する。
【００２５】
音声メモリ３６は、上記ハンドセット３３としてのマイクに入力された音声を録音する音声メモリの例である。
【００２６】
出力手段３７は、スピーカで構成され、音声メモリ３６に録音されている音声を、試聴する試聴手段の例である。
【００２７】
タイマ３８は、現在の日時情報を出力する。
【００２８】
放送内容履歴記憶手段３９は、音声メモリ３６に録音された後に、放送された音声を、タイマ３８の日時情報と共に記憶する放送内容履歴記憶手段の例であり、一斉放送した内容のみを記憶している。また、放送内容履歴記憶手段３９に記憶されている一斉放送内容は、そのメモリ容量に応じて、記憶した時期の古いものから消去される。
【００２９】
送受信手段４０は、集合玄関機１０または、各住宅情報盤との間で行う制御信号の送受信を制御する。
【００３０】
次に、上記実施例の動作について説明する。
【００３１】
管理員が、管理室親機３０を介して、一斉放送する場合、まず、録音開始ボタンを押してハンドセット３３を取りあげ、そのマイクに音声を吹き込み、音声メモリ３６に、放送内容である音声を入力する。マイクを介して入力された音声信号を、Ａ／Ｄ変換器３５がデジタル音声信号に変換し、その後に、音声メモリ３６に一時的に格納する。
【００３２】
ここで、操作手段３２に設けられている試聴手段である試聴ボタン（図示せず）を押すと、その音声メモリ３６に録音されている音声信号が、出力手段３７としてのスピーカから出力される。したがって、管理員は、自分が吹き込んだ音声内容を、一斉放送前に確認することができる。もし、放送内容に間違いがあったり、発音が聞き取りにくければ、図示しない削除ボタンを押すことによって、音声メモリ３６に録音した内容を削除する。なお、出力手段３７としてのスピーカの代わりに、ハンドセット３３のスピーカを使用するようにしてもよい。
【００３３】
上記試聴ボタンを押すことによって、音声メモリ３６に記憶されている一斉放送すべき内容を確認し、この一斉放送すべき音声が正常であれば、管理員は、操作手段３２に設けられている放送実行ボタンを押す。放送実行ボタンが押されると、音声メモリ３６に録音されている音声が、音声信号線Ｌａを介して、各住戸の住宅情報盤へ出力され、住宅情報盤側でその音声に基づく放送が行われる。また、この際、送受信手段４０が、制御信号線Ｌｃを介して、放送開始信号を各住戸の住宅情報盤へ出力する。
【００３４】
なお、上記放送実行ボタンが押されたときに、音声メモリ３６に録音されている音声信号は、放送内容履歴記憶手段３９に記録される。この際に、タイマ３８から現在の日時情報を読み込み、実際に放送された日時も、共に放送内容履歴記憶手段３９に記憶される。
【００３５】
このように、音声メモリ３６に一斉放送の内容を録音し、試聴ボタンで、その内容を確認した後に、一斉放送するので、常に正確な放送内容を放送することができ、間違った放送内容で一斉放送が実行されることを防止することができる。
【００３６】
また、一斉放送した際に、既に行なった一斉放送の内容を、放送内容履歴記憶手段３９に保存するので、一斉放送の内容を、後日、確認することができる。
【００３７】
また、放送内容履歴記憶手段３９に記憶されている放送内容のうちで、記憶時期が古いものから順に、消去する。この場合、放送内容履歴記憶手段３９の容量に応じて、また、放送内容履歴記憶手段３９の残存メモリ量に応じて、記憶の古い順に、放送内容を消去する。
【００３８】
なお、試聴ボタンを押して、放送内容を試聴した後でなければ、放送実行ボタンによる放送を実行できないように、制御部が制御するようにしてもよい。このようにすることによって、必ず放送内容を一度確認した後に、放送することができ、間違った放送がされることを防止できる。
【００３９】
なお、上記実施例は、音声メモリに放送内容を１つだけ格納し、試聴する場合であるが、録音開始ボタンを押した後に、管理員が同じ放送内容を数回、マイクから吹き込み、音声メモリに、同じ放送内容を数個録音するようにしてもよい。
【００４０】
そして、周波数特性や音声のボリュームを自動的にチェックし、上記数回吹き込まれた音声の中から、一番、音質音量が優れている内容を選択する放送内容選択手段を制御部に設けるようにしてもよい。このようにすれば、管理員の耳に頼らずに、マイコン等で構成される制御部によって、最適な音声の放送内容を選択するので、集合住宅の居住者のほとんどが聞き取りやすい放送を実行することができる。
【符号の説明】
【００４１】
１００…インターホンシステム、１０…集合玄関機、２０…制御装置、
３０…管理室親機、３１…制御手段、３２…操作手段、３３…ハンドセット、
３４…通話手段、３６…音声メモリ、３７…出力手段、３８…タイマ、
３９…放送内容履歴記憶手段。
【図１】
2010226561.tif 000003
【図２】
2010226561.tif 000004